(57)【要約】      （修正有）【課題】厚手の丈夫な紙における所定の折り曲げ位置及び連結位置に、予めＶカット溝を形成しておき、当該箇所で折り曲げ連結し、その状態を維持させることで完成させることができる家形状の組み立て容器を提供する。【解決手段】厚手の丈夫な平坦状の紙片を切断し、折り曲げることで床、該床の周囲を囲む側壁よりなる居住空間態様を呈する収納部２と該収納部の開口側を着脱自在に閉鎖する屋根、該屋根の周囲を囲む軒部よりなる屋根態様を呈する蓋部３とよりなる家形状の組み立て容器１において、該収納部は床と該床周囲の側壁の境界位置に折り曲げ自在のＶカット溝を形成し、蓋部は屋根及び該屋根周囲の軒部の境界位置に折り曲げ自在のＶカット溝を形成し、上記各々のＶカット溝を折り曲げることにより平坦状の紙片から立体状の収納部と蓋部とを形成し、それらを組み立て自在に組み合わせて家態様とする。【選択図】図６
0003197625.tif 000002
【実用新案登録請求の範囲】
【請求項１】
厚手の丈夫な平坦状の紙片を切断し、折り曲げることで床、該床の周囲を囲む側壁よりなる居住空間態様を呈する収納部と該収納部の開口側を着脱自在に閉鎖する屋根、該屋根の周囲を囲む軒部よりなる屋根態様を呈する蓋部とよりなる家形状の組み立て容器において、該収納部は床と該床周囲の側壁の境界位置に折り曲げ自在のＶカット溝を形成し、蓋部は屋根及び該屋根周囲の軒部の境界位置に折り曲げ自在のＶカット溝を形成し、上記各々のＶカット溝を折り曲げることにより平坦状の紙片から立体状の収納部と蓋部とを形成し、それらを組み立て自在に組み合わせて家態様としたことを特徴とする家形状の組み立て容器。
【請求項２】
側壁は、その両端部にテーパー状カットを形成し、隣接する側壁のテーパー状カットと当接することで側壁を立設してなることを特徴とする請求項１記載の家形状の組み立て容器。
【請求項３】
側壁は、その適宜箇所に適宜形状の窓を形成する貫通孔を設けたことを特徴とする請求項１又は２記載の家形状の組み立て容器。
【請求項４】
蓋部は、屋根を形成する棟部となる位置及び屋根と軒部の境界位置にＶカット溝を形成し、該棟部のＶカット溝で屋根を折り曲げることにより左右方向へのを傾斜面となる屋根を形成し、該軒部のＶカット溝で軒部となる側壁カバー片を下方側へ折り曲げることにより該軒部が側壁上端部の外側に重なるようにしたことを特徴とする請求項１乃至３のいずれか記載の家形状の組み立て容器。
【請求項５】
蓋部の屋根態様は、折り曲げた軒部の隣接する端縁部相互の突き付け箇所を連結してなることを特徴とする請求項１乃至４のいずれか記載の家形状の組み立て容器。
【請求項６】
蓋部の屋根態様は、該蓋部となる屋根、該屋根の周囲を囲む軒部及び該軒部より突出形成した糊代とよりなる別体の薄手の添着片を、該蓋部の裏面側への接着及び糊代による隣接する軒部相互の接着により一体化し、屋根態様の立体形を維持してなることを特徴とする請求項１乃至５のいずれか記載の家形状の組み立て容器。
【考案の詳細な説明】
【技術分野】
【０００１】
本考案は、厚手の丈夫な紙片を所定形状に切断し、所定箇所にＶカット溝及びテーパー状カットを設け、そのＶカット溝に沿って折り曲げ、テーパー状カット部を当接させ、その状態を維持するように居住空間態様となる収納部と屋根態様となる蓋部を形成し、それらの立体形により家形状の組み立て容器としたものである。
【背景技術】
【０００２】
従来より、特許文献１に示すように、厚手の紙を所定形状に切断し、それらを所定の位置で折り曲げて家形状の立体形を形成することは公知であった。上記紙の折り曲げのために予め折れ線を形成し、その折れ線に沿って谷折り又は山折りし家形状の箱体を形成していた。
【０００３】
しかし、ボール紙、段ボール紙等を用いて容易に箱を形成することができるとしているが、上記のような比較的厚手の紙を折れ線に沿ってきれいに折り曲げることは困難であり、所定の位置で９０度方向へ折り曲げるとなると定規のような硬いものをあてがって反対方向から強く押圧するとか折れ線部に深く切り込みを入れて当該部分を案内として折り曲げる等しなくてはならず、折り曲げに時間がかかり、又は当該箇所が弱くなり破損の原因となり、立体形の形成には好ましいものではなかった。
【先行技術文献】
【特許文献】
【０００４】
【特許文献１】実開平６−７６０２６号公報
【考案の開示】
【考案が解決しようとする課題】
【０００５】
本考案は、上記欠点を解決したもので、厚手の丈夫な紙における所定の折り曲げ位置及び連結位置に、予めＶカット溝及びテーパー状カットを形成しておき、当該箇所で折り曲げ及び当接させ、その状態を維持させることで家形状の組み立て容器を完成させることができるようにしたものである。
【課題を解決するための手段】
【０００６】
本考案は、厚手の丈夫な平坦状の紙片を切断し、折り曲げることで床、該床の周囲を囲む側壁よりなる居住空間態様を呈する収納部と該収納部の開口側を着脱自在に閉鎖する屋根、該屋根の周囲を囲む軒部よりなる屋根態様を呈する蓋部とよりなる家形状の組み立て容器において、該収納部は床と該床周囲の側壁の境界位置に折り曲げ自在のＶカット溝を形成し、蓋部は屋根及び該屋根周囲の軒部の境界位置に折り曲げ自在のＶカット溝を形成し、上記各々のＶカット溝を折り曲げることにより平坦状の紙片から立体状の収納部と蓋部とを形成し、それらを組み立て自在に組み合わせて家態様とした家形状の組み立て容器を特徴とする。
【０００７】
また、上記側壁は、その両端部にテーパー状カットを形成し、隣接する側壁のテーパー状カットと当接することで側壁を立設してなる家形状の組み立て容器を特徴とする。
【０００８】
更に、上記側壁は、その適宜箇所に適宜形状の窓を形成する貫通孔を設けた家形状の組み立て容器を特徴とする。
【０００９】
また、上記蓋部は、屋根を形成する棟部となる位置及び屋根と軒部の境界位置にＶカット溝を形成し、該棟部のＶカット溝で屋根を折り曲げることにより左右方向へのを傾斜面となる屋根を形成し、該軒部のＶカット溝で軒部となる側壁カバー片を下方側へ折り曲げることにより該軒部が側壁上端部の外側に重なるようにした家形状の組み立て容器を特徴とする。
【００１０】
更に、上記蓋部の屋根態様は、折り曲げた軒部の隣接する端縁部相互の突き付け箇所を連結してなる家形状の組み立て容器を特徴とする。
【００１１】
また、上記蓋部の屋根態様は、該蓋部となる屋根、該屋根の周囲を囲む軒部及び該軒部より突出形成した糊代とよりなる別体の薄手の添着片を、該蓋部の裏面側への接着及び糊代による隣接する軒部相互の接着により一体化し、屋根態様の立体形を維持してなる家形状の組み立て容器を特徴とする。
【考案の効果】
【００１２】
ボール紙、段ボール紙のような厚手の表・裏面紙が丈夫な紙片の折り曲げ位置にＶカット溝及び当接位置にテーパー状カットを形成したので折り曲げを円滑に行うことができ、且つ、当接位置となる隅部がきれいに収まることが可能となった。
【００１３】
また、居住空間態様となる収納部と屋根態様となる蓋部とを各々別体の紙片で形成し、且つ、該蓋部は収納部の上部開口部を閉塞すると同時に該収納部の立体形を維持するための形状維持機能を有し、従って、蓋部を除去したときには該収納部の立体形は直ちに平坦状へと戻されることになり、該収納部に収納していた様々な物品を露出させることを可能としたものである。
【００１４】
更に、上記立体形時における側壁相互の当接部となる外側隅部は、カット相互の接触部に現われる直線部のみが露出するだけであり、外見上は組み立てた箱体として認識され、利用者が蓋部を除去したときの側壁の四方への開放は意外性のある驚きをもたらすものである。
【図面の簡単な説明】
【００１５】
【図１】本考案の家形状の組み立て容器の収納部の展開図。
【図２】本考案の家形状の組み立て容器の収納部の図１におけるＡ−Ａ断面図。
【図３】本考案の家形状の組み立て容器の蓋部の展開図。
【図４】本考案の家形状の組み立て容器の蓋部の図３におけるＡ−Ａ断面図。
【図５】本考案の家形状の組み立て容器の蓋部を組み立てた正面図。
【図６】本考案の家形状の組み立て容器の収納部に蓋部を被せた状態の正面図。
【図７】本考案の家形状の組み立て容器の蓋部の立体形を維持するための添着片の展開図。
【考案を実施するための形態】
【００１６】
以下、図面を参考に本考案を実施するための最良の形態についてその実施例に基づいて説明する。
【実施例１】
【００１７】
本考案の家形状の組み立て容器１は、収納部２と蓋部３とよりなり、該収納部２は図１の展開図に示すように、厚手の丈夫な紙片を所定形状に切断した折り曲げ自在な平坦状のもので、立体形としたときに家の居住空間態様を形成するもので、その空間を様々な物品の収納部２として使用できるようにしたものである。一方、該蓋部３は該収納部２の上部開口部を閉塞して、蓋部としての機能をなし、且つ、該収納部２の立体形を維持するために図３の展開図に示す厚手の丈夫な紙片を所定形状に切断した折り曲げ自在な平坦状のものを立体形とし、当接部を固定することで立体形を維持するようにした家の屋根態様の形状をなすものである。
【００１８】
該収納部２は、矩形状の床４、該床４の周囲を取り囲む周囲の側壁５、６、７、８とよりなり、該床４の左側縁部と側壁５、該床４の上側縁部と側壁６、該床４の右側縁部と側壁７及び該床４の下側縁部と側壁８との間には各々Ｖカット溝９、１０、１１、１２を形成し、当該箇所で該側壁５乃至８を床４に対して直交方向へ折り曲げ自在としている。
【００１９】
また、該側壁５の両側端部、該側壁６の両側端部、該側壁７の両側端部及び該側壁８の両側端部には各々、テーパー状カット１３、１４、１５、１６、１７、１８、１９、２０を形成している。該床４に対して該側壁５乃至８を直交方向へ折り曲げたとき、該側壁５の一方のテーパー状カット１４は隣接する側壁６の一方のテーパー状カット１５とテーパー状切断面相互が当接することになる。同様に、側壁６の他方のテーパー状カット１６は隣接する側壁７の一方のテーパー状カット１７と、側壁７の他方のテーパー状カット１８は隣接する側壁８の一方のテーパー状カット１９と、側壁８の他方のテーパー状カット２０は隣接する側壁５の他方のテーパー状カット１３と各々そのテーパー状カット面が相互に当接することになる。
【００２０】
該Ｖカット溝９乃至１２は、図２の断面図に示すように、床４を形成する裏面側において裏紙が連続形成され、該裏紙を底部２１として上方を開放してカットし、その左右の傾斜角度は各々約４５度としている。この角度により側壁５をＶカット溝９より立ち上げると、該側壁５は床４に対して直交方向に立設することになる。他の側壁６、７、８も同様に立ち上げることができ、床４と側壁５乃至８により立体形となる収納部を形成することができる。
【００２１】
実施例１では妻壁側となる側壁６、８の上側縁部の形状を山形形状として切妻屋根の家が形成できるようにしている。
【００２２】
図３は、蓋部３の展開図を示し、該蓋部３はほぼ矩形状の丈夫な紙片で形成し、その外側中央部に縦方向のＶカット溝２２を形成したことで該Ｖカット溝２２を境界として左蓋片２３及び右蓋片２４とに別けることができる。該Ｖカット溝２２を山折り方向（図３の展開図において）へ折り曲げることで傾斜面を有する屋根の形状をなすことができる。該Ｖカット溝は、中央部に限定するものではなく、左右のいずれかにずれた位置とすることもできる。この場合、収納部２の側壁６、８の上側縁部の形状もそれに合ったものとしておく。
【００２３】
該左蓋片２３の左側縁部にはＶカット溝２５を形成し、軒部となる側壁カバー片２６と折り曲げ自在に連結し、屋根における左軒側を形成できるようにしている。
【００２４】
同様に、該右蓋片２４の右側縁部にもＶカット溝２７を形成し、軒部となる側壁カバー片２８と折り曲げ自在に連結し、屋根における右軒側を形成できるようにしている。
【００２５】
更に、該左蓋片２３の上側の側端部にはＶカット溝２９を形成し、妻側の軒部となる側壁カバー片３０と折り曲げ自在に連結し、該側壁カバー片３０はその両側端部をテーパー状に切断し、Ｖカット溝２９側を長辺とした台形状を形成している。
【００２６】
同様に、該左蓋片２３の下側の側端部にはＶカット溝３１を形成し、妻側の軒部となる側壁カバー片３２と折り曲げ自在に連結し、該側壁カバー片３２は上記同様、両側端部をテーパー状に切断して台形状を形成している。
【００２７】
また、右蓋片２４の上側の側端部にはＶカット溝３３を形成し、妻側の軒部となる側壁カバー片３４と折り曲げ自在に連結し、該側壁カバー片３４は両側端部をテーパー状に切断して台形状を形成している。
【００２８】
同様に、右蓋片２４の下側の側端部にはＶカット溝３５を形成し、妻側の軒部となる側壁カバー片３６と折り曲げ自在に連結し、該側壁カバー片３６は両側端部をテーパー状に切断して台形状を形成している。
【００２９】
図４は、蓋部３の図３におけるＡ−Ａ断面図を示し、図５に示すように、Ｖカット溝２２、２５、２７、２９、３１、３３、３５を山折り方向へ折り曲げることで屋根部と軒部とを有する屋根形状をした蓋部３を形成することができる。
【００３０】
屋根部と軒部を形成する左右蓋片２３、２４及び側壁カバー片２６、２８、３０、３２の折り曲げにより、該側壁カバー片２６、２８、３０、３２の側縁部と隣接する他の側縁部とは突き付け状態となるので当該箇所において接着剤のような適宜連結手段によって相互に連結固定することで図５に示す屋根形状の立体形を維持することができる。
【００３１】
上記立体形とした蓋部３を収納部２の開口部側へ被せることで図６に示す家形状の容器を完成させることができる。該蓋部３は、その立体形が維持されているので収納部２の側壁５、６、７、８を床４に対して立ち上げた状態で該蓋部３を被せることで家形状の立体形を保つことができる。従って、収納部２における側壁５、６、７、８相互は連結固定されておらず、該蓋部３を除去すると該側壁５、６、７、８は四方へ開放され平坦状のものとなる。これにより収納部２に収納していた小さなぬいぐるみ、マグカップ、プチブーケ、メッセージ、各種のギフト品等の様々な物品を直ちに露出させることが可能となる。
【００３２】
他方、必要に応じて該収納部２の側壁５、６、７、８の端縁部のテーパー状カットの当接部を接着剤や接着テープ等の適宜の連結手段により連結することで単独で収納部２としての立体形を維持させることも可能である。
【００３３】
図１及び図６に示すように、側壁に妻側となる山形形状の側壁６、８を形成しておくことで家としての外観形状を得ることができる。また、側壁５乃至８に窓部を形成したり、同様に、左右蓋片に天窓部を形成しておくこと等により家としての態様を一層醸し出すことができると同時に、収納部２内に収納した様々な物品を外部から覗き見ることも可能となる。
【実施例２】
【００３４】
図７は、蓋部３の立体形を保つための添着紙３７を示す実施例を示すもので、例えば０．３ｍｍ程度の薄い紙片からなる添着紙３７で、蓋部３の外側或いは内側に添着固定するものである。
【００３５】
該添着紙３７は、図３に示した蓋部３を折り曲げて屋根態様となる図５に示す立体形を維持するための添着片である。図３に示す蓋部３としての屋根部となる左蓋片２３及び右蓋片２４とほぼ同一形状とし、その内側又は外側から添着する左蓋片添着紙２３ａ及び右蓋片添着紙２４ａ、該左右蓋片添着紙２３ａ、２４ａの外側に位置する側壁カバー片２６、２８、３０、３２、３４、３６、その内側又は外側から添着する側壁カバー片添着紙２６ａ、２８ａ、３０ａ、３２ａ、３４ａ、３６ａ、更に、該側壁カバー片添着紙２６ａ、２８ａの外側縁側に延出した糊代となる第１、第２巻き込み添着片３８、３９、該側壁カバー片添着紙３０ａ、３２ａ、３４ａ、３６ａの外側縁側に延出した糊代となる第３乃至第６巻き込み添着片４０乃至４３、該側壁カバー片添着紙３０ａの両側縁側に延出した第１、第２連結添着片４４、４５、同じく該側壁カバー片添着紙３２ａの両側縁側に延出した第３、第４連結添着片４６、４７、該側壁カバー片添着紙３４ａの側縁側に延出した第５連結添着片４８、同じく該側壁カバー片添着紙３６ａの側縁側に延出した第６連結添着片４９を各々形成している。
【００３６】
上記添着紙３７を蓋部３の内側又は外側に添着し、少なくとも第１乃至第６巻き込み添着片３８乃至４３を該蓋部３の内側又は外側へ巻き込んで固定し、同様に、該側壁カバー片添着紙３０ａ、３２ａ、３４ａ、３６ａの両側縁側及び一方の側縁側に形成した第１乃至第６連結添着片４４乃至４９を各々隣接する他の側壁カバー片添着紙と連結することにより蓋部３としての屋根態様となる立体形を維持することができるようにしたものである。該添着紙３７は連結兼被覆体としての機能をなすことができる。
【００３７】
また、該添着紙３７に様々な着色や模様等を施したものを外側から添着採用することにより異なる外観を有する屋根態様の蓋体を得ることができる。
【符号の説明】
【００３８】
１                                              家形状の組み立て容器
２                                              収納部
３                                              蓋部
４                                              床
５、６、７、８                                  側壁
９、１０、１１、１２                            Ｖカット溝
１３、１４、１５、１６、１７、１８、１９、２０  テーパー状カット
２１                                            底
２２                                            Ｖカット溝
２３                                            左蓋片
２４                                            右蓋片
２５、２７、２９、３１、３３、３５              Ｖカット溝
２６、２８、３０、３２、３４、３６              軒部側壁カバー片
３７                                            添着紙
３８、３９、４０、４１、４２、４３              第１乃至第６巻き込み添着片
４４、４５、４６、４７、４８、４９              第１乃至第６連結添着片
【図１】
0003197625.tif 000003
【図２】
0003197625.tif 000004
【図３】
0003197625.tif 000005
【図４】
0003197625.tif 000006
【図５】
0003197625.tif 000007
【図６】
0003197625.tif 000008
【図７】
0003197625.tif 000009